(57)【要約】【課題】ランプの点灯及び消灯を適切に行うことができるランプ制御装置を提供する。【解決手段】ランプ制御装置１３において、電圧検出部３２は、照度に応じて変化する電圧を検出する。制御部３４は、ランプ１２の点灯及び消灯に関する自動制御として、電圧検出部３２が検出した検出電圧が点灯閾値未満の照度を示した場合にランプ１２を点灯させ、検出電圧が消灯閾値以上の照度を示した場合にランプを消灯させる。消灯閾値は点灯閾値以上である。制御部３４は、自動制御の停止指示を受け付けた場合、消灯閾値又は点灯閾値を変更する。【選択図】図１
2016012539.tif 000002
【特許請求の範囲】
【請求項１】
照度に係る値を検出する検出手段と、該検出手段が検出した値が第１閾値未満の照度を示した場合にランプを点灯させ、前記検出手段が検出した値が、前記第１閾値以上である第２閾値以上の照度を示した場合に前記ランプを消灯させる制御手段とを備えるランプ制御装置であって、
該制御手段が行っている制御の停止指示を受け付ける受付手段と、
該受付手段が前記停止指示を受け付けた場合に前記第１閾値又は第２閾値を変更する変更手段と
を備えることを特徴とするランプ制御装置。
【請求項２】
前記変更手段は、前記検出手段が検出した値に基づいて、前記第１閾値又は第２閾値を変更するように構成してあること
を特徴とする請求項１に記載のランプ制御装置。
【請求項３】
前記ランプが点灯しているか又は消灯しているかを判定する判定手段を備え、
前記判定手段によって前記ランプが消灯していると判定され、かつ、前記検出手段が検出した値が前記第１閾値を超えて前記第２閾値未満である照度を示す場合に、前記受付手段が前記停止指示を受け付けたとき、前記変更手段は前記第１閾値を上昇させるように構成してあること
を特徴とする請求項１又は請求項２に記載のランプ制御装置。
【請求項４】
前記ランプが点灯しているか又は消灯しているかを判定する判定手段を備え、
前記判定手段によって前記ランプが点灯していると判定され、かつ、前記検出手段が検出した値が前記第１閾値を超えて前記第２閾値未満である照度を示す場合に、前記受付手段が前記停止指示を受け付けたとき、前記変更手段は前記第２閾値を低下させるように構成してあること
を特徴とする請求項１から請求項３のいずれか１つに記載のランプ制御装置。
【請求項５】
前記検出手段が検出した値が前記第１閾値未満の照度を示す場合に、前記受付手段が前記停止指示を受け付けたとき、前記変更手段は前記第１閾値を低下させるように構成してあること
を特徴とする請求項１から請求項４のいずれか１つに記載のランプ制御装置。
【請求項６】
前記検出手段が検出した値が、前記第２閾値を超える照度を示す場合に、前記受付手段が前記停止指示を受け付けたとき、前記変更手段は前記第２閾値を上昇させるように構成してあること
を特徴とする請求項１から請求項５のいずれか１つに記載のランプ制御装置。
【請求項７】
照度に応じて抵抗値が変化する光抵抗回路と、
一端が該光抵抗回路の一端に接続してある抵抗回路と
を備え、
前記光抵抗回路及び抵抗回路夫々の他端間に所定電圧が印加され、
前記検出手段は、前記光抵抗回路及び抵抗回路が分圧した電圧を検出するように構成してあること
を特徴とする請求項１から請求項６のいずれか１つに記載のランプ制御装置。
【請求項８】
前記所定電圧の印加によって前記光抵抗回路及び抵抗回路を介して流れる電流経路に設けられたスイッチを備え、
前記所定電圧は前記スイッチを介して前記光抵抗回路及び抵抗回路の他端間に印加され、
前記スイッチは前記制御の停止が指示された場合にオフとなり、
前記検出手段がゼロボルト又は前記所定電圧を検出した場合に、前記受付手段は前記停止指示を受け付けるように構成してあること
を特徴とする請求項７に記載のランプ制御装置。
【発明の詳細な説明】
【技術分野】
【０００１】
本発明は、ランプの点灯及び消灯を制御するランプ制御装置に関する。
【背景技術】
【０００２】
現在、車両には、車外の照度に応じて、ランプ、具体的には、ヘッドライトの点灯を制御するランプ制御装置（例えば特許文献１）が搭載されている。特許文献１に記載のランプ制御装置は、車外の照度が所定値未満である場合にランプを点灯させる。これにより、車両の外側が暗くなった場合にランプが自動的に点灯するため、車両の運転者は手動でランプを点灯させる必要はない。
【先行技術文献】
【特許文献】
【０００３】
【特許文献１】特開２０１３−３２１０７号公報
【発明の概要】
【発明が解決しようとする課題】
【０００４】
しかしながら、特許文献１に記載のランプ制御装置のように、ランプを点灯させるか否かを判定するための所定値が予め設定してある場合、適切にランプが点灯しない虞がある。即ち、車外が暗いにも関わらず、車外の照度が所定値以上であるためにランプが点灯しない可能性、又は、車外が明るいにも関わらず、車外の照度が所定値未満であるためにランプが点灯する可能性がある。
この場合、運転者は適切な運転を行うことができない虞がある。
【０００５】
特許文献１に記載のランプ制御装置の他に、車外の照度が第２の所定値以上である場合にランプを消灯させるランプ制御装置が考えられる。このランプ制御装置においても、第２の所定値が予め設定してある場合、適切にランプが消灯しない虞がある。即ち、車外が明るいにも関わらず、車外の照度が第２の所定値以上であるためにランプが消灯しない可能性、又は、車外が暗いにも関わらず、車両の外側の照度が第２の所定値未満であるためにランプが消灯する可能性がある。
この場合においても、運転者は適切な運転を行うことができない虞がある。
【０００６】
本発明は斯かる事情に鑑みてなされたものであり、その目的とするところは、ランプの点灯及び消灯を適切に行うことができるランプ制御装置を提供することにある。
【課題を解決するための手段】
【０００７】
本発明に係るランプ制御装置は、照度に係る値を検出する検出手段と、該検出手段が検出した値が第１閾値未満の照度を示した場合にランプを点灯させ、前記検出手段が検出した値が、前記第１閾値以上である第２閾値以上の照度を示した場合に前記ランプを消灯させる制御手段とを備えるランプ制御装置であって、該制御手段が行っている制御の停止指示を受け付ける受付手段と、該受付手段が前記停止指示を受け付けた場合に前記第１閾値又は第２閾値を変更する変更手段とを備えることを特徴とする。
【０００８】
本発明にあっては、ランプが例えば車両のヘッドライトである場合、車外の照度に係る値を検出する。照度に係る値は、照度に応じて変化する値である。検出した値が第１閾値未満の照度を示した場合にランプを点灯させ、検出した値が第２閾値以上の照度を示した場合にランプを消灯させる。このように、ランプの点灯及び消灯に関する自動制御が行われる。第２閾値は第１閾値以上である。
【０００９】
更に、自動制御の停止指示を受け付ける。例えば、車外が明るいにも関わらず、ランプが点灯した場合、車両の運転者から停止指示を受け付ける。停止指示を受け付けた場合、第１閾値又は第２閾値を変更する。
これにより、第１閾値又は第２閾値が適正な値に変更された場合、第１閾値又は第２閾値の変更後、ランプの点灯及び消灯が適切に行われる。
【００１０】
本発明に係るランプ制御装置は、前記変更手段は、前記検出手段が検出した値に基づいて、前記第１閾値又は第２閾値を変更するように構成してあることを特徴とする。
【００１１】
本発明にあっては、第１閾値又は第２閾値は、検出した照度に係る値に基づいて変更される。例えば、第１閾値又は第２閾値は、停止指示を受け付けた場合に検出された照度に係る値が示す照度に変更される。
これにより、第１閾値又は第２閾値が適正な値に変更される。
【００１２】
本発明に係るランプ制御装置は、前記ランプが点灯しているか又は消灯しているかを判定する判定手段を備え、前記判定手段によって前記ランプが消灯していると判定され、かつ、前記検出手段が検出した値が前記第１閾値を超えて前記第２閾値未満である照度を示す場合に、前記受付手段が前記停止指示を受け付けたとき、前記変更手段は前記第１閾値を上昇させるように構成してあることを特徴とする。
【００１３】
本発明にあっては、ランプが点灯しているか又は消灯しているかを判定する。ランプが消灯していると判定し、かつ、検出した照度に係る値が第１閾値を超えて第２閾値未満である照度を示す場合において、停止指示を受け付けたとき、第１閾値を上昇させる。
ランプが消灯しており、かつ、照度が第１閾値を超えて第２閾値未満である場合に停止指示を受け付けることは、ランプが適正に点灯していないことを意味する。このような場合に第１閾値が上昇するので、第１閾値の変更後、ランプが適切なタイミングで点灯する。
【００１４】
本発明に係るランプ制御装置は、前記ランプが点灯しているか又は消灯しているかを判定する判定手段を備え、前記判定手段によって前記ランプが点灯していると判定され、かつ、前記検出手段が検出した値が前記第１閾値を超えて前記第２閾値未満である照度を示す場合に、前記受付手段が前記停止指示を受け付けたとき、前記変更手段は前記第２閾値を低下させるように構成してあることを特徴とする。
【００１５】
本発明にあっては、ランプが点灯しているか又は消灯しているかを判定する。ランプが点灯していると判定し、かつ、検出した照度に係る値が第１閾値を超えて第２閾値未満である照度を示す場合において、停止指示を受け付けたとき、第２閾値を低下させる。
ランプが点灯しており、かつ、照度が第１閾値を超えて第２閾値未満である場合に停止指示を受け付けることは、ランプが適正に消灯していないことを意味する。このような場合に第２閾値が低下するので、第２閾値の変更後、ランプが適切なタイミングで消灯する。
【００１６】
本発明に係るランプ制御装置は、前記検出手段が検出した値が前記第１閾値未満の照度を示す場合に、前記受付手段が前記停止指示を受け付けたとき、前記変更手段は前記第１閾値を低下させるように構成してあることを特徴とする。
【００１７】
本発明にあっては、検出した照度に係る値が第１閾値未満の照度を示してランプが点灯している場合に停止指示を受け付けたとき、第１閾値を上昇させる。
照度が第１閾値未満である場合に停止指示を受け付けることは、ランプが発する光を必要としていないにも関わらず、ランプが点灯したことを意味する。このような場合に第１閾値が低下するので、第１閾値の変更後、ランプが適切なタイミングで点灯する。
【００１８】
本発明に係るランプ制御装置は、前記検出手段が検出した値が、前記第２閾値を超える照度を示す場合に、前記受付手段が前記停止指示を受け付けたとき、前記変更手段は前記第２閾値を上昇させるように構成してあることを特徴とする。
【００１９】
本発明にあっては、検出した照度に係る値が第２閾値を超える照度を示してランプが消灯している場合に停止指示を受け付けたとき、第２閾値を上昇させる。
照度が第２閾値を超えている場合に停止指示を受け付けることは、ランプが発している光を必要としているにも関わらず、ランプが消灯したことを意味する。このような場合に第２閾値が上昇するので、第２閾値の変更後、ランプが適切なタイミングで消灯する。
【００２０】
本発明に係るランプ制御装置は、照度に応じて抵抗値が変化する光抵抗回路と、一端が該光抵抗回路の一端に接続してある抵抗回路とを備え、前記光抵抗回路及び抵抗回路夫々の他端間に所定電圧が印加され、前記検出手段は、前記光抵抗回路及び抵抗回路が分圧した電圧を検出するように構成してあることを特徴とする。
【００２１】
本発明にあっては、光抵抗回路の一端に抵抗回路の一端が接続してあり、光抵抗回路及び抵抗回路夫々の他端間に所定電圧が印加されている。光抵抗回路の抵抗値は照度に応じて変化するため、光抵抗回路及び抵抗回路が分圧した電圧も照度に応じて変化する。光抵抗回路及び抵抗回路が分圧した電圧が照度に係る値として検出される。
このため、簡単な構成で照度に係る値が検出される。
【００２２】
本発明に係るランプ制御装置は、前記所定電圧の印加によって前記光抵抗回路及び抵抗回路を介して流れる電流経路に設けられたスイッチを備え、前記所定電圧は前記スイッチを介して前記光抵抗回路及び抵抗回路の他端間に印加され、前記スイッチは前記制御の停止が指示された場合にオフとなり、前記検出手段がゼロボルト又は前記所定電圧を検出した場合に、前記受付手段は前記停止指示を受け付けるように構成してあることを特徴とする。
【００２３】
本発明にあっては、光抵抗回路の一端が抵抗回路の一端に接続されており、所定電圧の印加によって光抵抗回路及び抵抗回路を介して流れる電流経路にスイッチが設けられている。所定電圧はスイッチを介して光抵抗回路及び抵抗回路夫々の他端間に印加されている。ランプの点灯及び消灯に関する自動制御の停止が指示された場合にスイッチがオフになる。このとき、光抵抗回路及び抵抗回路に電流が流れないため、光抵抗回路及び抵抗回路が分圧した電圧はゼロボルト又は所定電圧である。光抵抗回路及び抵抗回路が分圧した電圧がゼロボルト又は所定電圧である場合に停止指示を受け付ける。
このため、容易に停止指示が受け付けられる。
【発明の効果】
【００２４】
本発明によれば、ランプの点灯及び消灯を適切に行うことができる。
【図面の簡単な説明】
【００２５】
【図１】実施の形態１における電源システムの要部構成を示すブロック図である。
【図２】マイコンが行う自動制御の概要の説明図である。
【図３】制御部が実行するランプ制御処理の手順を示すフローチャートである。
【図４】制御部が実行するランプ制御処理の手順を示すフローチャートである。
【図５】車外の照度とランプの状態とに応じた変更対象を示す図表である。
【図６】制御部が実行する点灯閾値変更処理の手順を示すフローチャートである。
【図７】制御部が実行する消灯閾値変更処理の手順を示すフローチャートである。
【図８】実施の形態２における制御部が実行するランプ制御処理の手順を示すフローチャートである。
【図９】実施の形態２における制御部が実行するランプ制御処理の手順を示すフローチャートである。
【図１０】実施の形態３における電源システムの要部構成を示すブロック図である。
【発明を実施するための形態】
【００２６】
以下、本発明をその実施の形態を示す図面に基づいて詳述する。
（実施の形態１）
図１は、実施の形態１における電源システム１の要部構成を示すブロック図である。電源システム１は、車両に好適に搭載されており、直流電源１０、スイッチ回路１１、ランプ１２及びランプ制御装置１３を備える。直流電源１０の正極は、スイッチ回路１１に接続されており、スイッチ回路１１は、直流電源１０の他に、ランプ１２の一端と、ランプ制御装置１３とに接続されている。直流電源１０の負極と、ランプ１２の他端とは接地されている。
【００２７】
直流電源１０は、例えば、鉛蓄電池、リチウムイオン電池又は電気二重層キャパシタ等であり、スイッチ回路１１を介してランプ１２に給電する。
スイッチ回路１１には、ランプ制御装置１３から、ランプ１２の点灯指示及び消灯指示が入力される。スイッチ回路１１は、点灯指示が入力された場合、直流電源１０及びランプ１２間を接続する。スイッチ回路１１は、消灯指示が入力された場合、直流電源１０及びランプ１２間の接続を遮断する。スイッチ回路１１は半導体スイッチ又はメカリレー等によって構成される。
【００２８】
ランプ１２は車両のヘッドライトである。スイッチ回路１１が直流電源１０及びランプ１２間を接続した場合、直流電源１０からランプ１２に給電され、ランプ１２は点灯する。スイッチ回路１１が直流電源１０及びランプ１２間の接続を遮断した場合、直流電源１０からランプ１２に給電されず、ランプ１２は消灯する。
【００２９】
ランプ制御装置１３には、ランプ１２の点灯又は消灯を指示する指示信号が入力される。ランプ制御装置１３は、車外の照度に応じて、スイッチ回路１１に点灯指示及び消灯指示を出力することによって、ランプ１２の点灯及び消灯を制御する自動制御を行う。ランプ制御装置１３は、自動制御の停止を指示する停止指示を受け付ける。ランプ制御装置１３は、停止指示を受け付けた場合、指示信号に応じて点灯指示及び消灯指示をスイッチ回路１１に出力してランプ１２の点灯及び消灯を制御する。
【００３０】
ランプ制御装置１３は、スイッチ２０、マイクロコンピュータ（以下ではマイコンと記載する）２１、抵抗Ｒ１及び光抵抗Ｒ２とを有する。スイッチ２０の一端は抵抗Ｒ１の一端に接続されており、抵抗Ｒ１の他端は、マイコン２１と光抵抗Ｒ２の一端とに接続されている。光抵抗Ｒ２の他端は接地されている。マイコン２１は、更に、スイッチ回路１１にも接続されている。
【００３１】
スイッチ２０の他端には、所定の電圧Ｖｃｃ、例えば５ボルトの電圧が印加される。これにより、電圧Ｖｃｃは、スイッチ２０を介して、抵抗Ｒ１の一端と、光抵抗Ｒ２の他端との間に印加される。電圧Ｖｃｃは、例えば、直流電源１０の出力電圧から図示しないレギュレータによって生成される。電圧Ｖｃｃの印加によって抵抗Ｒ１及び光抵抗Ｒ２を介して電流が流れ、この電流経路にスイッチ２０が設けられている。
【００３２】
スイッチ２０は、前述の自動制御の停止が指示された場合にオフとなり、自動制御の停止の解除が指示された場合にオンとなる。例えば、使用者が、図示しない操作部を操作することによって自動制御の停止を指示した場合、スイッチ２０がオフになり、使用者が操作部を操作することによって自動制御の停止の解除を指示した場合、スイッチ２０がオンになる。
【００３３】
スイッチ２０がオンである場合、抵抗Ｒ１及び光抵抗Ｒ２は、電圧Ｖｃｃを分圧し、分圧した電圧はマイコン２１によって検出される。抵抗Ｒ１及び光抵抗Ｒ２夫々の抵抗値をｒ１及びｒ２とした場合、マイコン２１が検出する検出電圧はＶｃｃ×ｒ２／（ｒ１＋ｒ２）である。スイッチ２０がオンである場合において、検出電圧は、抵抗値ｒ２の大／小に応じて高／低となる。
【００３４】
抵抗Ｒ１の抵抗値ｒ１は一定である。光抵抗Ｒ２は例えばフォトトランジスタであり、光抵抗Ｒ２の抵抗値ｒ２は、光抵抗Ｒ２周辺の照度の高／低に応じて、小／大となる。光抵抗Ｒ２は、車外から光が入射される場所に設置されている。このため、抵抗値ｒ２は、車外の照度の高／低（明／暗）に応じて、小／大となる。前述したように、検出電圧は抵抗値ｒ２の大／小に応じて高／低となるため、検出電圧は車外の照度の高／低に応じて低／高となる。検出電圧は車外の照度に係る値である。スイッチ２０がオンである場合、検出電圧はゼロボルトを超えて電圧Ｖｃｃ未満である。
抵抗Ｒ１は抵抗回路として機能し、光抵抗Ｒ２は光抵抗回路として機能する。
【００３５】
スイッチ２０がオフである場合、マイコン２１は、検出電圧としてゼロボルトを検出する。マイコン２１は、検出電圧がゼロボルトである場合には自動制御の停止指示を受け付け、検出電圧がゼロボルトを超えている場合、自動制御の停止の解除指示を受け付ける。
【００３６】
図２はマイコン２１が行う自動制御の概要の説明図である。前述したように、車外の照度の高／低に応じて、マイコン２１が検出する検出電圧は低／高となる。検出電圧が消灯電圧であることは、車外の照度が消灯閾値であることに対応する。消灯電圧以下の検出電圧は、照度が消灯閾値以上であることを示し、消灯電圧を超える検出電圧は、照度が消灯閾値未満であることを示す。また、検出電圧が点灯電圧であることは、車外の照度が点灯閾値であることに対応する。点灯電圧を超える検出電圧は、照度が点灯閾値未満であることを示し、点灯電圧以下の検出電圧は、照度が点灯閾値以上であることを示す。消灯電圧は点灯電圧未満であり、これは消灯閾値が点灯閾値を超えていることを意味する。
【００３７】
マイコン２１は、検出電圧がゼロボルトを超えている場合に自動制御を下記のように行う。マイコン２１は、検出電圧が点灯電圧を超えて点灯閾値未満の照度を示した場合に点灯指示をスイッチ回路１１に出力し、ランプ１２を点灯させる。マイコン２１は、検出電圧が消灯電圧以下となって消灯閾値以上の照度を示した場合に消灯指示をスイッチ回路１１に出力し、ランプ１２を消灯させる。
点灯閾値及び消灯閾値夫々は第１閾値及び第２閾値に相当する。
【００３８】
マイコン２１は、図１に示すように、出力部３０、入力部３１、電圧検出部３２、記憶部３３及び制御部３４を有し、これらはバス３５を介して相互に接続されている。出力部３０は更にスイッチ回路１１に接続されている。電圧検出部３２は更に抵抗Ｒ１及び光抵抗Ｒ２間の接続ノードに接続されている。
【００３９】
入力部３１には指示信号が入力される。入力部３１は、指示信号が入力された場合、指示信号が指示する内容を制御部３４に通知する。例えば、使用者は、操作部を操作することによって、ランプ１２の点灯又は消灯を指示し、これにより、指示信号が入力部３１に入力される。
出力部３０は、制御部３４の指示に従って、点灯指示又は消灯指示をスイッチ回路１１に出力する。
【００４０】
電圧検出部３２は、抵抗Ｒ１及び光抵抗Ｒ２が分圧した電圧を連続的に検出する。電圧検出部３２が検出する電圧は検出電圧である。電圧検出部３２が検出した検出電圧は、電圧検出部３２から制御部３４によって読込まれる。電圧検出部３２は検出手段として機能する。
ランプ制御装置１３では、抵抗Ｒ１及び光抵抗Ｒ２を用いた簡単な構成で電圧検出部３２は、照度に係る値を検出することができる。
【００４１】
記憶部３３は、消灯電圧、点灯電圧、及び、ランプ１２が点灯しているか又は消灯しているかを示すフラグ等を記憶している。具体的には、フラグは１又はゼロに設定され、フラグが１に設定されていることはランプ１２が点灯していることに対応し、フラグがゼロに設定されていることはランプ１２が消灯していることに対応する。記憶部３３に記憶してある内容の読み出し及び書き込みは制御部３４によって行われる。
【００４２】
制御部３４は、電圧検出部３２が検出した検出電圧、記憶部３３が記憶している内容、及び、入力部３１に入力された指示信号が示す内容等に基づいて、出力部３０に点灯指示又は消灯指示を出力することによって、ランプ１２の点灯及び消灯を制御するランプ制御処理を実行する。
【００４３】
図３及び図４は制御部３４が実行するランプ制御処理の手順を示すフローチャートである。まず、制御部３４は、電圧検出部３２が検出した検出電圧に基づいて、自動制御の停止指示を受け付けたか否かを判定する（ステップＳ１）。制御部３４は検出電圧がゼロボルトである場合に自動制御の停止指示を受け付ける。制御部３４は、検出電圧がゼロボルトを超えている場合、停止指示を受け付けていないと判定する。制御部３４は受付手段として機能する。
スイッチ２０が前述したように設けられたランプ制御装置１３では、制御部３４は容易に自動制御の停止指示を受け付けることができる。
【００４４】
制御部３４は、停止指示を受け付けたと判定した場合（Ｓ１：ＹＥＳ）、入力部３１に入力されている指示信号がランプ１２の点灯を指示しているか否かを判定する（ステップＳ２）。制御部３４は、ランプ１２の点灯を指示していると判定した場合（Ｓ２：ＹＥＳ）、出力部３０に点灯指示をスイッチ回路１１へ出力させることによってランプ１２を点灯させ（ステップＳ３）、記憶部３３に記憶してあるフラグを１に設定する（ステップＳ４）。
【００４５】
制御部３４は、ランプ１２の点灯を指示していない、即ち、指示信号がランプ１２の消灯を指示していると判定した場合（Ｓ２：ＮＯ）、出力部３０に消灯指示をスイッチ回路１１へ出力させることによってランプ１２を消灯させる（ステップＳ５）。その後、制御部３４は、記憶部３３に記憶してあるフラグをゼロに設定する（ステップＳ６）。
【００４６】
制御部３４は、ステップＳ４又はＳ６を実行した後、ランプ制御処理を終了する。その後、制御部３４はステップＳ１を再び実行する。制御部３４は、自動制御の停止指示を受け付けている間、入力部３１に入力された指示信号が示す内容に従ってランプ１２の点灯及び消灯を行う。
【００４７】
制御部３４は、自動制御の停止指示を受け付けていないと判定した場合（Ｓ１：ＮＯ）、検出電圧を電圧検出部３２から読込み（ステップＳ７）、読込んだ検出電圧が点灯閾値未満の照度を示すか否かを判定する（ステップＳ８）。ステップＳ８では、制御部３４は、ステップＳ７で読込んだ検出電圧が点灯電圧を超えている場合に検出電圧が点灯閾値未満の照度を示すと判定し、ステップＳ７で読込んだ検出電圧が点灯電圧以下である場合、検出電圧が点灯閾値以上の照度を示すと判定する。
【００４８】
制御部３４は、検出電圧が点灯閾値未満の照度を示すと判定した場合（Ｓ８：ＹＥＳ）、出力部３０に点灯指示をスイッチ回路１１へ出力させることによってランプ１２を点灯させ（ステップＳ９）、記憶部３３に記憶してあるフラグを１に設定する（ステップＳ１０）。
【００４９】
制御部３４は、検出電圧が点灯閾値以上の照度を示す場合（Ｓ８：ＮＯ）、ステップＳ７で読込んだ検出電圧が消灯閾値以上の照度を示すか否かを判定する（ステップＳ１１）。ステップＳ１１では、制御部３４は、ステップＳ７で読込んだ検出電圧が消灯電圧以下である場合に検出電圧が消灯閾値以上の照度を示すと判定し、ステップＳ７で読込んだ検出電圧が消灯電圧を超えている場合に、検出電圧が消灯閾値未満の照度を示すと判定する。
【００５０】
制御部３４は、検出電圧が消灯閾値以上の照度を示すと判定した場合（Ｓ１１：ＹＥＳ）、出力部３０に消灯指示をスイッチ回路１１へ出力させることによって、ランプ１２を消灯させ（ステップＳ１２）、記憶部３３に記憶してあるフラグをゼロに設定する（ステップＳ１３）。
【００５１】
制御部３４は、ステップＳ１０若しくはＳ１３を実行した後、又は、検出電圧が消灯閾値未満の照度を示すと判定した場合（Ｓ１１：ＮＯ）、ステップＳ１と同様に、自動制御の停止指示を受け付けたか否かを判定する（ステップＳ１４）。制御部３４は、自動制御の停止指示を受け付けていないと判定した場合（Ｓ１４：ＮＯ）、処理をステップＳ７に戻す。
【００５２】
制御部３４は、自動制御の停止指示を受け付けるまで、検出電圧が点灯閾値未満の照度を示した場合にランプ１２を点灯させ、検出電圧が消灯閾値以上の照度を示した場合にランプ１２を消灯させる。このように、制御部３４は、停止指示を受け付けるまで自動制御を継続する。制御部３４は制御手段としても機能する。
【００５３】
制御部３４は、自動制御の停止指示を受け付けたと判定した場合（Ｓ１４：ＹＥＳ）、記憶部３３に記憶してある点灯閾値を変更すべきか否かを判定する（ステップＳ１５）。
【００５４】
図５は、車外の照度とランプ１２の状態とに応じた変更対象を示す図表である。ステップＳ１５において、まず、制御部３４は、記憶部３３に記憶してあるフラグの値に基づいて、ランプ１２が点灯しているか又は消灯しているかを判定する。制御部３４は、フラグが１に設定してある場合、ランプ１２が点灯していると判定し、フラグがゼロに設定してある場合、ランプ１２が消灯していると判定する。制御部３４は判定手段としても機能する。
【００５５】
次に、制御部３４は、ステップＳ７で読込んだ検出電圧が示す照度と、ランプ１２の状態とに基づいて、点灯閾値及び消灯閾値の中で、変更すべき対象を決定する。
【００５６】
制御部３４は、ステップＳ７で読込んだ検出電圧が消灯閾値以上の照度を示し、かつ、ランプ１２が消灯していると判定した場合、車外が暗くてランプ１２が発する光が必要であるにも関わらず、ランプ１２が自動で消灯したとして、消灯閾値を変更すべきと判定する。
制御部３４は、ステップＳ７で読込んだ検出電圧が、点灯閾値以上であって消灯閾値未満である照度を示し、かつ、ランプ１２が点灯していると判定した場合、車外が十分に明るいにも関わらず、ランプ１２が適正に消灯しなかったとして、消灯閾値を変更すべきと判定する。
【００５７】
制御部３４は、ステップＳ７で読込んだ検出電圧が、点灯閾値以上であって消灯閾値未満である照度を示し、かつ、ランプ１２が消灯していると判定した場合、車外が暗いにも関わらず、ランプ１２が適正に点灯しなかったとして、点灯閾値を変更すべきと判定する。
制御部３４は、ステップＳ７で読込んだ検出電圧が、点灯閾値未満の照度を示し、かつ、ランプ１２が点灯していると判定した場合、車外が明るくてランプ１２が発する光を必要としていないにも関わらず、ランプ１２が自動で点灯したとして、点灯閾値を変更すべきと判定する。
【００５８】
制御部３４は、点灯閾値を変更すべきと判定した場合（Ｓ１５：ＹＥＳ）、点灯閾値変更処理を実行する（ステップＳ１６）。これにより、点灯電圧が変更され、点灯電圧の変更に伴って点灯閾値が変更される。
制御部３４は、点灯閾値を変更すべきではない、即ち、消灯閾値を変更すべきと判定した場合（Ｓ１５：ＮＯ）、消灯閾値変更処理を実行する（ステップＳ１７）。これにより、消灯電圧が変更され、消灯電圧の変更に伴って消灯閾値が変更される。
【００５９】
以上のように、制御部３４は、自動制御の停止指示を受け付けた場合に点灯閾値又は消灯閾値が変更される。制御部３４は変更手段としても機能する。
制御部３４は、ステップＳ１６又はＳ１７を実行した後、ランプ制御処理を終了する。制御部３４は、ランプ制御処理を終了した後、ステップＳ１を再び実行する。その後、制御部３４は、自動制御の停止が解除された場合、変更された点灯閾値又は消灯閾値に基づいて自動制御が再開する。
【００６０】
図６は制御部３４が実行する点灯閾値変更処理の手順を示すフローチャートである。点灯電圧について上限値及び下限値夫々が予め設定されており、図２には、点灯電圧の上限値である点灯上限電圧と、点灯電圧の下限値である点灯下限電圧とが示されている。
【００６１】
点灯閾値変更処理では、制御部３４は、まず、ステップＳ７で読込んだ検出電圧と、現在設定してある点灯電圧とに基づいて、点灯電圧候補を決定する（ステップＳ２１）。具体的には、ステップＳ７で読込んだ検出電圧、及び、現在設定してある点灯電圧夫々をＶｄ及びＶｏｎとした場合、下記式を用いて点灯電圧候補Ｖ１を決定する。
Ｖ１＝（１−Ｐ１）×Ｖｏｎ＋Ｐ１×Ｖｄ
ここで、Ｐ１は記憶部３３に予め記憶されている定数であり、０＜Ｐ１≦１が満たされている。Ｐ１＝０．５である場合、Ｖ１はＶｏｎ及びＶｄの平均値である。Ｐ１＝１である場合、Ｖ１はＶｄであり、自動制御の停止指示を受け付けたときに電圧検出部３２が検出した検出電圧である。
【００６２】
以上のように決定される点灯電圧候補Ｖ１は、Ｖｄ＜Ｖｏｎである場合、Ｖ１−Ｖｏｎ＝Ｐ１×（Ｖｄ−Ｖｏｎ）＜０であるので、現在の点灯電圧Ｖｏｎよりも低い電圧である。同様に、点灯電圧候補Ｖ１は、Ｖｄ＞Ｖｏｎである場合、Ｖ１−Ｖｏｎ＞０であるので、現在の点灯電圧Ｖｏｎよりも高い電圧である。
【００６３】
次に、制御部３４は、ステップＳ２１で決定した点灯電圧候補が点灯下限電圧以上であるか否かを判定する（ステップＳ２２）。制御部３４は、点灯電圧候補が点灯下限電圧未満であると判定した場合（Ｓ２２：ＮＯ）、記憶部３３に記憶してある点灯電圧を点灯下限電圧に変更する（ステップＳ２３）。
【００６４】
制御部３４は、ステップＳ２１で決定した点灯電圧候補が点灯下限電圧以上であると判定した場合（Ｓ２２：ＹＥＳ）、ステップＳ２１で決定した点灯電圧候補が点灯上限電圧以下であるか否かを判定する（ステップＳ２４）。制御部３４は、点灯電圧候補が点灯上限電圧を超えていると判定した場合（Ｓ２４：ＮＯ）、記憶部３３に記憶してある点灯電圧を点灯上限電圧に変更する（ステップＳ２５）。
【００６５】
制御部３４は、点灯電圧候補が点灯上限電圧以下であると判定した場合（Ｓ２４：ＹＥＳ）、記憶部３３に記憶してある点灯電圧を、ステップＳ２１で決定した点灯電圧候補に変更する（ステップＳ２６）。
制御部３４がステップＳ２３、Ｓ２５又はＳ２６を行って点灯電圧を変更した場合、点灯閾値も変更される。
【００６６】
制御部３４がステップＳ７で読込んだ検出電圧が、ステップＳ２６で変更される前の点灯電圧未満である場合、前述したように、点灯電圧候補はステップＳ２６で変更される前の点灯電圧よりも低い。このため、ステップＳ２６において、制御部３４は、記憶部３３に記憶してある点灯電圧を低下させる。言い換えると、制御部３４がステップＳ７で読込んだ検出電圧が、ステップＳ２６で変更される前の点灯閾値を超える照度を示す場合、ステップＳ２６において、制御部３４は点灯閾値を上昇させる。
【００６７】
また、制御部３４がステップＳ７で読込んだ検出電圧が、ステップＳ２６で変更する前の点灯電圧を超えている場合、前述したように、点灯電圧候補はステップＳ２６で変更される前の点灯電圧よりも高い。このため、ステップＳ２６において、制御部３４は、記憶部３３に記憶してある点灯電圧を上昇させる。言い換えると、制御部３４がステップＳ７で読込んだ検出電圧が、ステップＳ２６で変更される前の点灯閾値未満である照度を示す場合、ステップＳ２６において、制御部３４は点灯閾値を低下させる。
【００６８】
以上のことから、制御部３４は、ランプ１２が消灯していると判定し、かつ、ステップＳ７で読込んだ検出電圧が、ステップＳ７が実行された時点における点灯閾値を超えて消灯閾値未満である照度を示す場合において、自動制御の停止指示を受け付けたとき、点灯閾値を上昇させる。
また、制御部３４は、ステップＳ７で読込んだ検出電圧が、ステップＳ７が実行された時点における点灯閾値未満の照度を示す場合において、自動制御の停止指示を受け付けたとき、点灯閾値を低下させる。
更に、点灯電圧候補はステップＳ７で読込んだ検出電圧に基づいているため、制御部３４は、ステップＳ２６において、点灯電圧、即ち、点灯閾値を、ステップＳ７で読込んだ検出電圧に基づいて変更している。
【００６９】
制御部３４は、ステップＳ２３、Ｓ２５又はＳ２６を実行した後、ランプ制御処理に戻る。
【００７０】
図７は制御部３４が実行する消灯閾値変更処理の手順を示すフローチャートである。消灯電圧について上限値及び下限値夫々が予め設定されており、図２には、消灯電圧の上限値である消灯上限電圧と、消灯電圧の下限値である消灯下限電圧とが示されている。
【００７１】
消灯閾値変更処理では、制御部３４は、まず、ステップＳ７で読込んだ検出電圧と、現在設定してある消灯電圧とに基づいて、消灯電圧候補を決定する（ステップＳ３１）。具体的には、現在設定してある消灯電圧をＶｏｆｆとした場合、下記式を用いて消灯電圧候補Ｖ２を決定する。
Ｖ２＝（１−Ｐ２）×Ｖｏｆｆ＋Ｐ２×Ｖｄ
ここで、Ｐ２は記憶部３３に予め記憶されている定数であり、０＜Ｐ２≦１が満たされている。Ｐ２＝０．５である場合、Ｖ２はＶｏｆｆ及びＶｄの平均値である。Ｐ２＝１である場合、Ｖ２はＶｄであり、自動制御の停止指示を受け付けたときに電圧検出部３２が検出した検出電圧である。
【００７２】
以上のように決定される消灯電圧候補Ｖ２は、Ｖｄ＜Ｖｏｆｆである場合、Ｖ２−Ｖｏｆｆ＝Ｐ２×（Ｖｄ−Ｖｏｆｆ）＜０であるので、現在の消灯電圧Ｖｏｆｆよりも低い電圧である。同様に、消灯電圧候補Ｖ２は、Ｖｄ＞Ｖｏｆｆである場合、Ｖ２−Ｖｏｆｆ＞０であるので、現在の消灯電圧よりも高い電圧である。
【００７３】
次に、制御部３４は、ステップＳ３１で決定した消灯電圧候補が消灯下限電圧以上であるか否かを判定する（ステップＳ３２）。制御部３４は、消灯電圧候補が消灯下限電圧未満であると判定した場合（Ｓ３２：ＮＯ）、記憶部３３に記憶してある消灯電圧を消灯下限電圧に変更する（ステップＳ３３）。
【００７４】
制御部３４は、消灯電圧候補が消灯下限電圧以上であると判定した場合（Ｓ３２：ＹＥＳ）、ステップＳ３１で決定した消灯電圧候補が消灯上限電圧以下であるか否かを判定する（ステップＳ３４）。制御部３４は、消灯電圧候補が消灯上限電圧を超えていると判定した場合（Ｓ３４：ＮＯ）、記憶部３３に記憶してある消灯電圧を消灯上限電圧に変更する（ステップＳ３５）。
【００７５】
制御部３４は、消灯電圧候補が消灯上限電圧以下であると判定した場合（Ｓ３４：ＹＥＳ）、記憶部３３に記憶してある消灯電圧を、ステップＳ３１で決定した消灯電圧候補に変更する（ステップＳ３６）。
制御部３４がステップＳ３３、Ｓ３５又はＳ３６のいずれか１つを行って消灯電圧を変更した場合、消灯閾値も変更される。
【００７６】
制御部３４がステップＳ７で読込んだ検出電圧が、ステップＳ３６で変更される前の消灯電圧未満である場合、前述したように、消灯電圧候補はステップＳ３６で変更される前の消灯電圧よりも低い。このため、ステップＳ３６において、制御部３４は、記憶部３３に記憶してある消灯電圧を低下させる。言い換えると、制御部３４がステップＳ７で読込んだ検出電圧が、ステップＳ３６で変更される前の消灯閾値を超える照度を示す場合、ステップＳ３６において、制御部３４は消灯閾値を上昇させる。
【００７７】
また、制御部３４がステップＳ７で読込んだ検出電圧が、ステップＳ３６で変更する前の消灯電圧を超えている場合、前述したように、消灯電圧候補はステップＳ３６で変更される前の消灯電圧よりも高い。このため、ステップＳ３６において、制御部３４は、記憶部３３に記憶してある消灯電圧を上昇させる。言い換えると、制御部３４がステップＳ７で読込んだ検出電圧が、ステップＳ３６で変更される前の消灯閾値未満である照度を示す場合、ステップＳ３６において、制御部３４は消灯閾値を低下させる。
【００７８】
以上のことから、制御部３４は、ステップＳ７で読込んだ検出電圧が、ステップＳ７が実行された時点における消灯閾値を超える照度を示す場合において、自動制御の停止指示を受け付けたとき、消灯閾値を上昇させる。
また、制御部３４は、ランプ１２が点灯していると判定し、かつ、ステップＳ７で読込んだ検出電圧が、ステップＳ７が実行した時点における点灯閾値を超えて消灯閾値未満である照度を示す場合において、自動制御の停止指示を受け付けたとき、消灯閾値を低下させる。
更に、消灯電圧候補はステップＳ７で読込んだ検出電圧に基づいているため、制御部３４は、ステップＳ３６において、消灯電圧、即ち、消灯閾値を、ステップＳ７で読込んだ検出電圧に基づいて変更する。
【００７９】
制御部３４は、ステップＳ３３、Ｓ３５又はＳ３６を実行した後、ランプ制御処理に戻る。
【００８０】
以上のように構成されたランプ制御装置１３においては、制御部３４は、自動制御の停止指示を受け付けた場合、電圧検出部３２が検出した検出電圧に基づいて、点灯閾値又は消灯閾値を適切な値に変更する。これにより、点灯閾値又は消灯閾値の変更後、ランプ１２の点灯又は消灯が適切なタイミングで行われ、自動制御において、ランプ１２の点灯及び消灯が適切に行われる。
【００８１】
また、点灯上限電圧、点灯下限電圧、消灯上限電圧及び消灯下限電圧が設定されているため、点灯電圧及び消灯電圧、即ち、点灯閾値及び消灯閾値夫々は極端に高い値又は極端に低い値に設定されることが防止される。例えば、車外の明るさが車両の走行にはランプ１２の点灯が必要とされる明るさであるが、車両を停止させているために、運転者が自動制御の停止を指示する可能性がある。この場合、制御部３４が自動制御の停止指示を受け付ける。以上のような状況で、たとえ点灯電圧候補が極端に高い電圧に決定された場合であっても、点灯上限電圧が設けられているため、点灯電圧が極端に高い電圧に変更される虞、即ち、点灯閾値が極端に低い値に変更される虞はない。
【００８２】
（実施の形態２）
実施の形態１では、点灯閾値及び消灯閾値を用いて、ランプ１２の点灯及び消灯に関する自動制御が行われる。しかしながら、自動制御で用いる閾値の数は２つに限定されず、１つであってもよい。
以下では、実施の形態２について、実施の形態１と異なる点を説明する。後述する構成を除く他の構成については、実施の形態１と同様であるため、同様の符号を付してその説明を省略する。
【００８３】
実施の形態２における電源システム１は、実施の形態１における電源システム１と同様の構成部を備える。実施の形態２における電源システム１において、実施の形態１における電源システム１と比較して、ランプ制御装置１３が１つの閾値（以下ではランプ閾値と記載する）を用いてランプ１２の点灯及び消灯を制御する点が異なる。より具体的には、実施の形態２におけるマイコン２１が有する制御部３４が実行するランプ制御処理が実施の形態１と異なる。
電圧検出部３２は実施の形態２においても検出手段として機能する。
【００８４】
図８及び図９は実施の形態２における制御部３４が実行するランプ制御処理の手順を示すフローチャートである。車外の照度と電圧検出部３２が検出する検出電圧との関係は実施の形態２（図２参照）と同様であり、照度がランプ閾値であることは、検出電圧がランプ電圧であることに対応する。ランプ電圧は記憶部３３に記憶されている。
【００８５】
実施の形態２における制御部３４がランプ制御処理で実行するステップＳ４１からＳ４４夫々は、実施の形態１における制御部３４がランプ制御処理で実行するステップＳ１、Ｓ２、Ｓ３及びＳ５と同様であるため、その詳細な説明を省略する。
制御部３４は実施の形態２においても受付手段として機能する。
【００８６】
実施の形態２における制御部３４は、ステップＳ４３又はＳ４４を実行した後、ランプ制御処理を終了する。その後、制御部３４はステップＳ４１を再び実行する。制御部３４は、自動制御の停止指示を受け付けている間、入力部３１に入力された指示信号が示す内容に従ってランプ１２の点灯及び消灯を行う。
【００８７】
制御部３４は、自動制御の停止指示を受け付けていないと判定した場合（Ｓ４１：ＮＯ）、検出電圧を電圧検出部３２から読込み（ステップＳ４５）、読込んだ検出電圧がランプ閾値未満の照度を示すか否かを判定する（ステップＳ４６）。ステップＳ４６では、制御部３４は、ステップＳ４５で読込んだ検出電圧がランプ電圧を超えている場合に検出電圧がランプ閾値未満の照度を示すと判定し、ステップＳ４５で読込んだ検出電圧がランプ電圧以下である場合に検出電圧がランプ閾値以上の照度を示すと判定する。
【００８８】
制御部３４は、検出電圧がランプ閾値未満の照度を示すと判定した場合（Ｓ４６：ＹＥＳ）、出力部３０に点灯指示をスイッチ回路１１へ出力させることによってランプ１２を点灯させる（ステップＳ４７）。制御部３４は、検出電圧がランプ閾値以上の照度を示すと判定した場合（Ｓ４６：ＮＯ）、出力部３０に消灯指示をスイッチ回路１１へ出力させることによってランプ１２を消灯させる（ステップＳ４８）。
【００８９】
制御部３４は、ステップＳ４７又はＳ４８を実行した後、ステップＳ４１、即ちステップＳ１と同様に、自動制御の停止指示を受け付けたか否かを判定する（ステップＳ４９）。制御部３４は、自動制御の停止指示を受け付けていないと判定した場合（Ｓ４９：ＮＯ）、処理をステップＳ４５に戻す。
【００９０】
制御部３４は、自動制御の停止指示を受け付けるまで、検出電圧がランプ閾値未満の照度を示した場合にランプ１２を点灯させ、検出電圧がランプ閾値以上の照度を示した場合にランプ１２を消灯させる。このように、制御部３４は、停止指示を受け付けるまで自動制御を継続する。ランプ閾値は第１閾値及び第２閾値に該当し、制御部３４は制御手段としても機能する。
【００９１】
制御部３４は、自動制御の停止指示を受け付けた場合（Ｓ４９：ＹＥＳ）、ステップＳ４５で読込んだ検出電圧と、現在設定してあるランプ電圧とに基づいて、ランプ電圧候補を決定する（ステップＳ５０）。具体的には、ステップＳ４５で読込んだ検出電圧、及び、現在設定してあるランプ電圧夫々をＶｅ及びＶＬとした場合、下記式を用いてランプ電圧候補Ｖｃを決定する。
Ｖｃ＝（１−Ｐ３）×ＶＬ＋Ｐ３×Ｖｅ
ここで、Ｐ３は記憶部３３に予め記憶されている定数であり、０＜Ｐ３≦１が満たされている。
【００９２】
次に、制御部３４は、ステップＳ５０で決定したランプ電圧候補が、ランプ電圧の下限値であるランプ下限電圧以上であるか否かを判定する（ステップＳ５１）。ランプ下限電圧は記憶部３３に予め記憶してある。
制御部３４は、ランプ電圧候補がランプ下限電圧未満であると判定した場合（Ｓ５１：ＮＯ）、記憶部３３に記憶してあるランプ電圧をランプ下限電圧に変更する（ステップＳ５２）。
【００９３】
制御部３４は、ランプ電圧候補がランプ下限電圧以上であると判定した場合（Ｓ５１：ＹＥＳ）、ステップＳ５０で決定したランプ電圧候補が、ランプ電圧の上限値であるランプ上限電圧以下であるか否かを判定する（ステップＳ５３）。制御部３４は、ランプ電圧候補がランプ上限電圧を超えていると判定した場合（Ｓ５３：ＮＯ）、記憶部３３に記憶してあるランプ電圧をランプ上限電圧に変更する（ステップＳ５４）。
【００９４】
制御部３４は、ランプ電圧候補がランプ上限電圧以下であると判定した場合（Ｓ５３：ＹＥＳ）、記憶部３３に記憶してあるランプ電圧をランプ電圧候補に変更する（ステップＳ５５）。制御部３４は変更手段としても機能する。
【００９５】
ステップＳ４５で読込んだ検出電圧ＶｅがステップＳ５５で変更される前のランプ電圧ＶＬ未満である場合、Ｖｃ−ＶＬ＝Ｐ３×（Ｖｅ−ＶＬ）＜０であり、ランプ電圧候補Ｖｃはランプ電圧ＶＬよりも低い。従って、ステップＳ４５で読込んだ検出電圧がステップＳ５５で変更される前のランプ電圧よりも低い場合、制御部３４はステップＳ５５でランプ電圧を低下させる。
【００９６】
検出電圧が、ランプ電圧未満であって、ランプ閾値を超える照度を示す場合、即ち、ランプ１２が消灯している場合に制御部３４が自動制御の停止指示を受け付けることは、車外が暗いにも関わらず、ランプ１２が消灯していることを意味する。この場合、制御部３４は、ランプ電圧を低下させ、ランプ閾値を上昇させる。
【００９７】
ステップＳ４５で読込んだ検出電圧ＶｅがステップＳ５５で変更される前のランプ電圧ＶＬを超える場合、Ｖｃ−ＶＬ＝Ｐ３×（Ｖｅ−ＶＬ）＞０であり、ランプ電圧候補Ｖｃはランプ電圧ＶＬよりも高い。従って、ステップＳ４５で読込んだ検出電圧がステップＳ５５で変更される前のランプ電圧よりも高い場合、制御部３４はステップＳ５５でランプ電圧を上昇させる。
【００９８】
検出電圧が、ランプ電圧を超えて、ランプ閾値未満の照度を示す場合、即ち、ランプ１２が点灯している場合に制御部３４が自動制御の停止指示を受け付けることは、車外が明るいにも関わらず、ランプ１２が点灯していることを意味する。この場合、制御部３４は、ランプ電圧を上昇させ、ランプ閾値を低下させる。
【００９９】
制御部３４は、ステップＳ５２、Ｓ５４又はＳ５５を実行した後、ランプ制御処理を終了する。制御部３４は、ランプ制御処理を終了した後、ステップＳ４１を再び実行する。その後、制御部３４は、自動制御の停止が解除された場合、変更された点灯閾値又は消灯閾値に基づいて自動制御が再開する。
【０１００】
以上のように構成された実施の形態２におけるランプ制御装置１３においては、制御部３４は、自動制御の停止指示を受け付けた場合、電圧検出部３２が検出した検出電圧に基づいてランプ閾値を適切な値に変更する。これにより、ランプ閾値の変更後、制御部３４は、自動制御において、ランプ１２の点灯及び消灯が適切に行われる。また、ランプ上限電圧及びランプ下限電圧が設けられているため、ランプ閾値が極端に高い値又は極端に低い値に設定されることはない。
【０１０１】
（実施の形態３）
実施の形態１において、その一端が抵抗Ｒ１の一端に接続されるようにスイッチ２０を設ける必要はなく、スイッチ２０は、電圧Ｖｃｃの印加によって抵抗Ｒ１及び光抵抗Ｒ２を介して流れる電流経路に設けられていればよい。
以下では、実施の形態３について、実施の形態１と異なる点を説明する。後述する構成を除く他の構成については、実施の形態１と同様であるため、同様の符号を付してその説明を省略する。
【０１０２】
図１０は実施の形態３における電源システム４の要部構成を示すブロック図である。実施の形態３における電源システム４は、実施の形態１と同様に、車両に好適に搭載され、直流電源１０、スイッチ回路１１及びランプ１２を備える。更に、電源システム４は、ランプ制御装置１３の代わりに、ランプ制御装置４０を備える。直流電源１０、スイッチ回路１１、ランプ１２及びランプ制御装置４０は実施の形態１と同様に接続される。ここで、実施の形態１におけるランプ制御装置１３はランプ制御装置４０に対応し、直流電源１０、スイッチ回路１１及びランプ１２夫々は実施の形態１と同様に作用する。
【０１０３】
ランプ制御装置４０は、実施の形態１におけるランプ制御装置１３と同様の構成部を有する。ランプ制御装置４０は、実施の形態１におけるランプ制御装置１３と比較して、スイッチ２０の接続位置と、マイコン２１の制御部３４が自動制御の停止指示を受け付ける構成とが異なる。
【０１０４】
スイッチ２０の一端は光抵抗Ｒ２の他端に接続されており、スイッチ２０の他端は接地されている。所定の電圧Ｖｃｃは抵抗Ｒ１の一端に印加されている。
【０１０５】
このように接続されたスイッチ２０がオンである場合、抵抗Ｒ１及び光抵抗Ｒ２は実施の形態１と同様に電圧Ｖｃｃを分圧し、抵抗Ｒ１及び光抵抗Ｒ２が分圧した電圧は電圧検出部３２によって検出される。このとき、電圧検出部３２が検出する検出電圧は、ゼロボルトを超えて電圧Ｖｃｃ未満である。スイッチ２０がオフである場合、電圧検出部３２は電圧Ｖｃｃを検出する。
【０１０６】
制御部３４は、電圧検出部３２が検出した検出電圧が電圧Ｖｃｃである場合に自動制御の停止指示を受け付け、検出電圧が電圧Ｖｃｃ未満である場合に自動制御の停止指示を受け付けていないと判定する。
【０１０７】
ランプ制御装置４０において、スイッチ２０の接続位置、及び、制御部３４が自動制御の停止指示を受け付ける構成以外の他の構成は、ランプ制御装置１３と同様である。従って、ランプ制御装置４０は実施の形態１におけるランプ制御装置１３と同様の効果を奏する。
【０１０８】
なお、実施の形態３において、制御部３４は、実施の形態２における制御部３４が実行するランプ制御処理を実行してもよい。この場合、記憶部３３は点灯電圧及び消灯電圧の代わりにランプ電圧を記憶しており、実施の形態３におけるランプ制御装置４０は、実施の形態２におけるランプ制御装置１３と同様の効果を奏する。
【０１０９】
また、実施の形態３において、スイッチ２０は、抵抗Ｒ１の他端と光抵抗Ｒ２の一端との間に設けられてもよい。この場合、抵抗Ｒ１の一端、及び、光抵抗Ｒ２の他端間に電圧Ｖｃｃが印加され、電圧検出部３２は、抵抗Ｒ１及びスイッチ２０間の接続ノードにおける電圧を検出する。この場合であっても、制御部３４は、実施の形態３で述べたように、自動制御の停止指示を受け付けることができる。
【０１１０】
なお、実施の形態１，２においても、スイッチ２０は、抵抗Ｒ１の他端と光抵抗Ｒ２の一端との間に設けられてもよい。この場合、抵抗Ｒ１の一端、及び、光抵抗Ｒ２の他端間に電圧Ｖｃｃが印加され、電圧検出部３２は、スイッチ２０及び光抵抗Ｒ２間の接続ノードにおける電圧を検出する。この場合であっても、制御部３４は、実施の形態１，２で述べたように、自動制御の停止指示を受け付けることができる。
【０１１１】
なお、実施の形態１〜３において、電圧Ｖｃｃの印加によって抵抗Ｒ１及び光抵抗Ｒ２を介して流れる電流経路にスイッチ２０を設けなくてもよい。例えば、入力部３１に、自動制御の停止、又は、該停止の解除を指示する信号が入力されるようにマイコン２１が構成されており、制御部３４は、入力部３１に自動制御の停止を指示する信号が入力された場合に、自動制御の停止指示を受け付けてもよい。
【０１１２】
また、光抵抗Ｒ２は、車外の照度の高／低に応じて抵抗値が小／大となる抵抗に限定されず、車外の照度の高／低に応じて抵抗値が大／小となる抵抗であってもよい。この場合、検出電圧は、車外の照度の高／低に応じて高／低に変化する。従って、点灯電圧未満の検出電圧は点灯閾値未満の照度を示し、点灯電圧以上の検出電圧は点灯閾値以上の照度を示す。消灯電圧及び消灯閾値の関係、並びに、ランプ電圧及びランプ閾値の関係は、この点灯電圧及び点灯閾値の関係と同様である。検出電圧が車外の照度の高／低に応じて高／低に変化する場合であっても、検出電圧が示す照度に基づいて適正に点灯閾値、消灯閾値及びランプ閾値が変更される。
【０１１３】
更に、点灯電圧候補、消灯電圧候補及びランプ電圧候補を決定する構成は、演算式を用いてこれらを決定する構成に限定されない。例えば、点灯電圧及び検出電圧からなる各組に、決定されるべき点灯電圧候補が対応付けられている対応表を記憶部３３に予め記憶しておき、制御部３４は、対応表に基づいて点灯電圧候補を決定してもよい。同様の構成で、消灯電圧候補及びランプ電圧候補を決定してもよい。
【０１１４】
また、照度に係る値は、車外の照度に応じて変化する電圧に限定されず、車外の照度に応じて変化する電流、又は、車外の照度そのものであってもよい。この場合、ランプ制御装置１３，４０夫々は、車外の照度に応じて変化する電流を検出する電流検出部、又は、車外の照度を検出する照度検出部を備える。そして、電流検出部が検出した検出電流が示す照度、又は、照度検出部が検出した照度に基づいてランプ制御処理が行われ、点灯閾値、消灯閾値及びランプ閾値が適正に変更される。
更に、ランプ制御装置１３，４０が制御するランプ１２は、車両のヘッドライトに限定されず、所定値以上の照度を常時保つ必要がある室内に設けられたランプ又は街灯等であってもよい。
【０１１５】
開示された実施の形態１から３は、全ての点で例示であって制限的なものではないと考えられるべきである。本発明の範囲は上述の説明ではなく特許請求の範囲によって示され、特許請求の範囲と均等の意味及び範囲内での全ての変更が含まれることが意図される。
【符号の説明】
【０１１６】
１２  ランプ
１３，４０  ランプ制御装置
２０  スイッチ
３２  電圧検出部（検出手段）
３４  制御部（制御手段、受付手段、変更手段、判定手段）
Ｒ１  抵抗（抵抗回路）
Ｒ２  光抵抗（光抵抗回路）
【図１】
2016012539.tif 000003
【図２】
2016012539.tif 000004
【図３】
2016012539.tif 000005
【図４】
2016012539.tif 000006
【図５】
2016012539.tif 000007
【図６】
2016012539.tif 000008
【図７】
2016012539.tif 000009
【図８】
2016012539.tif 000010
【図９】
2016012539.tif 000011
【図１０】
2016012539.tif 000012